(57)【特許請求の範囲】
【請求項１】
直角な面と弧状の面とで平面略三角形をなし、且つ直角な面から夫々板状の連結片を張り出させ、更に該板状の連結片の夫々に連結ピン等の嵌合孔を設けてなる、四隅に配置するコーナー部材と、内面に前記コーナー部材における板状の連結片の夫々の縁部を差し込む溝を設けると共に連結ピン等の挿通孔を設けた細長い枠状の底部材、並びに該底部材の外側の縁に内外方向回動自在に枢着し、自由端側の掲示物押圧部を窪ませたカバー部材とからなり、該底部材とカバー部材との間に取り付けたバネ材をもって該カバー部材の閉じた状態と開いた状態とを夫々保持するようになした、前記コーナー部材を介して連結される上下、左右の各フレーム部材とをもって構成される額縁において、
前記コーナー部材に、各フレーム部材のカバー部材が閉じた状態において隣接する両カバー部材における端部の窪みに同時に入り込んで両者を同時に押さえる開放阻止手段を備えたことを特徴とする額縁。
【請求項２】
開放阻止手段が、コーナー部材の直角部分の下面に設けたネジ部と、該ネジ部に螺合するビスとからなる開放阻止手段である請求項１記載の額縁。
【請求項３】
開放阻止手段が、コーナー部材の直角部分の内部に嵌合し、ネジを直角部分に設けた受枠と、該受枠のネジに螺合するビスとからなる開放阻止手段である請求項１記載の額縁。
【請求項４】
開放阻止手段が、コーナー部材の直角部分に固定し、ネジを直角部分に設けた受枠と、該受枠のネジに螺合するビスをもって止める、コーナー部材の連結片に沿って延びる翼状の押圧片とからなる開放阻止手段である請求項１記載の額縁。
【請求項５】
ネジとビスのいずれもが樹脂である請求項２、３又は４記載の額縁。
【発明の詳細な説明】
【０００１】
【発明の属する技術分野】
本発明は額縁、特に前面ローディング式の額縁に関するものである。
【０００２】
【従来の技術】
宣伝や販売促進用のポスター等を掲示するための額縁の一種として前面ローディング式の額縁がある。そして、斯かる前面ローディング式の額縁の構成は図７に示す通りである。
【０００３】
図７において１００は額縁であり、四隅のコーナー部材１０１と、該コーナー部材１０１を介して連結される上下、左右の各フレーム部材１０２とをもって構成されている。
【０００４】
そしてまた、前記コーナー部材１０１は、直角な面１０１Ａ、１０１Ｂと弧状の面１０１Ｃとで平面略三角形をなし、且つ直角な面１０１Ａ、１０１Ｂから夫々板状の連結片１０１ａ、１０１ｂを張り出させている。また、該板状の連結片１０１ａ、１０１ｂの夫々には連結ピン等の嵌合孔１０１ａ′、１０１ｂ′を設けている。
【０００５】
また、前記フレーム部材１０２は、内面に前記コーナー部材における板状の連結片１０１ａ、１０１ｂの夫々の縁部を差し込む溝１０２ａを設けると共に連結ピン等の挿通孔（図示せず。）を設けた、細長い枠状の底部材１０２Ａと、該底部材１０２Ａの外側の縁に内外方向回動自在に枢着し、自由端側の掲示物押圧部１０２Ｂ′を窪ませたカバー部材１０２Ｂと、底部材１０２Ａとカバー部材１０２Ｂとの間に取り付け、カバー部材１０２Ｂの閉じた状態と開いた状態とを夫々保持するためのバネ材１０２Ｃとからなるものである。また、この他にも図示はしないが、、コーナー部材１０１とフレーム部材１０２とに跨がってそれらの裏側に配置されるＬ字形の裏当板と、該裏当板から差し込む連結ピンが用いられる。
【０００６】
斯かる額縁はカバー部材１０２Ｂを開閉するだけで掲示物の脱着ができるから、掲示物の付け替えをスピーディーに行うことができて便利である。しかし、またその反面において悪戯等によって掲示物を簡単に取り外される虞があり、屋外に設置した場合には実際にこのようなことが頻発している。
【０００７】
【発明が解決しようとする課題】
本発明は上記の点に鑑みなされたものであって、悪戯に指先等によってカバー部材を開こうとしても瞬時には開かないようになした前面ローディング式の額縁を提供せんとするものである。
【０００８】
【課題を解決するための手段】
而して、本発明の要旨とするところは、直角な面と弧状の面とで平面略三角形をなし、且つ直角な面から夫々板状の連結片を張り出させ、更に該板状の連結片の夫々に連結ピン等の嵌合孔を設けてなる、四隅に配置するコーナー部材と、内面に前記コーナー部材における板状の連結片の夫々の縁部を差し込む溝を設けると共に連結ピン等の挿通孔を設けた細長い枠状の底部材、並びに該底部材の外側の縁に内外方向回動自在に枢着し、自由端側の掲示物押圧部を窪ませたカバー部材とからなり、該底部材とカバー部材との間に取り付けたバネ材をもって該カバー部材の閉じた状態と開いた状態とを夫々保持するようになした、前記コーナー部材を介して連結される上下、左右の各フレーム部材とをもって構成される額縁において、前記コーナー部材に、各フレーム部材のカバー部材が閉じた状態において隣接する両カバー部材における端部の窪みに同時に入り込んで両者を同時に押さえる開放阻止手段を備えたことを特徴とする額縁にある。
【０００９】
また、上記構成における開放阻止手段の例として、コーナー部材の直角部分の下面に設けたネジ部と、該ネジ部に螺合するビスとからなる開放阻止手段が考えられる。
【００１０】
また、開放阻止手段の他の例として、コーナー部材の直角部分の内部に嵌合し、ネジを直角部分に設けた受枠と、該受枠のネジに螺合するビスとからなる開放阻止手段が考えられる。
【００１１】
更にまた、開放阻止手段の他の例として、コーナー部材の直角部分に固定し、ネジを直角部分に設けた受枠と、該受枠のネジに螺合するビスをもって止める、コーナー部材の連結片に沿って延びる翼状の押圧片とからなる開放阻止手段が考えられる。
【００１２】
【発明の実施の形態】
以下、本発明の実施の形態について図面を参照しつつ説明する。
図１は第１実施形態の要部の斜視図、図２は理解に便ならしめるために一方側のフレーム部材におけるカバー部材を開いて示した開放阻止状態の部分斜視図である。
【００１３】
図中、１は前面ローディング式の額縁である。該額縁１は、後記四隅のコーナー部材と、該コーナー部材を介して連結される上下、左右の各フレーム部材とをもって構成されている。また、コーナー部材とフレーム部材との一体化に際しては、この他にもコーナー部材とフレーム部材とに跨がってそれらの裏側に配置されるＬ字形の裏当板（図示せず。）と、該裏当板から差し込む連結ピン２が用いられる。
【００１４】
３は樹脂からなるコーナー部材である。また、該コーナー部材３は、直角な面４、５と弧状の面６とで平面略三角形をなし、且つ直角な面４、５から夫々板状の連結片７、８を張り出させ、更に該板状の連結片７、８の夫々に連結ピン２の嵌合孔９、１０を設けている。
【００１５】
１１はアルミニウムからなるフレーム部材である。また、該フレーム部材１１は、内面に前記コーナー部材３における板状の連結片７、８の夫々の縁部７ａ、８ａを差し込む溝１２を設けると共に連結ピンの挿通孔（図示せず。）を設けた細長い枠状の底部材１３、並びに該底部材１３の外側の縁に内外方向回動自在に枢着し、自由端側の掲示物押圧部１４ａを窪ませたカバー部材１４とからなり、該底部材１３とカバー部材１４との間に取り付けたバネ材１５をもって該カバー部材１４の閉じた状態と開いた状態とを夫々保持するようになしたものである。
【００１６】
斯かる構成は従来の額縁と同様である。而して、本発明はコーナー部材３に、各フレーム部材１１のカバー部材１４が閉じた状態において隣接する両カバー部材１４、１４における端部の窪みに同時に入り込んで両者を同時に押さえる開放阻止手段を備えたことを特徴とするものである。
【００１７】
そして、本実施形態は、開放阻止手段として、コーナー部材３の直角部分の下面に設けたネジ部１６と、該ネジ部１６に螺合するビス１７とをもって構成している。尚、図において１８はコーナー部材３に設けたビスの頭部を受容する凹部である。
【００１８】
而して、本実施形態にあっては、各フレーム部材１１のカバー部材１４を閉じた状態において、ビス１７を図２に示す如く両カバー部材１４、１４の隙間に差し込むものである。これにより該ビス１７の頭部１７ａが両カバー部材１４、１４における端部の窪みに同時に入り込み、両者を同時に押さえるものである。よってカバー部材１４、１４を指先等によって開こうとしても簡単に瞬時には開かなくなるものである。そしてまた、カバー部材１４、１４を開放するときには、ビス１７を後退する向きに回して取り外すものである。
【００１９】
次に、図３及び図４に示した本発明の第２実施形態について説明する。
本実施形態は、開放阻止手段の点において前記第１実施形態と相違するものである。而して、本実施形態における開放阻止手段は、コーナー部材３の直角部分の内部に嵌合し、ネジ１９を直角部分に設けた受枠２０と、該受枠２０のネジ１９に螺合するビス２１とをもって構成するものである。尚、その他の構成は前記第１実施形態と同様であるから、同一の部材には同一の符号を付して詳細な説明は省略する。
【００２０】
本実施形態にあっては、各フレーム部材１１のカバー部材１４を閉じた状態においてビス２１を受枠２０のネジ１９に螺合するものである。これにより該ビス２１の頭部２１ａが両カバー部材１４、１４における端部の窪みに同時に入り込み、両者を同時に押さえるものである。また、カバー部材１４、１４を開放するときには、ビス２１を後退する向きに回して取り外すものである。
【００２１】
次に、図５及び図６に示した本発明の第３実施形態について説明する。
本実施形態は、開放阻止手段の点において前記第１及び第２実施形態と相違するものである。而して、本実施形態における開放阻止手段は、コーナー部材３の直角部分に固定し、ネジ２２直角部分に設けた受枠２３と、該受枠２３のネジ２２に螺合するビス２４をもって止める、コーナー部材３の連結片７、８に沿って延びる翼状の押圧片２５とをもって構成するものである。尚、その他の構成は前記第１実施形態と同様であるから、同一の部材には同一の符号を付して詳細な説明は省略する。
【００２２】
本実施形態にあっては、各フレーム部材１１のカバー部材１４を閉じた状態においてビス２４を受枠２３のネジ２２に螺合するものである。これにより翼状の押圧片２５が夫々両カバー部材１４、１４における端部の窪みに同時に入り込み、両者を同時に押さえるものである。また、本実施形態においては、ビス２４の頭部２４ａが入り込んで隠れるように翼状の押圧片２５のビス挿通孔２５ａには段部２５ａ′を設けている。
【００２３】
また、上記実施形態においてネジとビスのいずれをも樹脂とした場合には、ビスを回すことなく指で押し出すだけでストレートにネジの内部に押し込むことができる。これはネジとビスの夫々の凸部はきわめて薄いことから、押す力が強いときには変形が起こることによるものと思われる。もって操作をスピーディーに行うことができる。尚、一旦螺合した後でビスを取り外すときには、これを後退する向きに回す必要がある。
【００２４】
【発明の効果】
本発明は上記の如き構成、作用であるから、フレーム部材におけるカバー部材を指先等によって開こうとしても簡単に瞬時には開かず、そしてまたその反面において所要時にはビスを緩めて外すだけで簡単に開放することができるようになすことができるものである。
【００２５】
また、ネジとビスのいずれをも樹脂とした場合には、ビスを回すことなく指で押し出すだけでストレートにネジの内部に押し込むことができるものであり、もって操作をスピーディーに行うことができるものである。
【図面の簡単な説明】
【図１】本発明の第１実施形態の要部の斜視図である。
【図２】理解に便ならしめるために一方側のフレーム部材におけるカバー部材を開いて示した開放阻止状態の部分斜視図である。
【図３】本発明の第２実施形態の要部の斜視図である。
【図４】本発明の第２実施形態の要部の部分断面図である。
【図５】本発明の第３実施形態における開放阻止手段の斜視図である。
【図６】本発明の第３実施形態の要部の部分断面図である。
【図７】従来の額縁のカバー部材を開いた状態における部分斜視図である。
【符号の説明】
１  額縁
２  連結ピン
３  コーナー部材
４、５  直角な面
７、８  板状の連結片
９、１０  連結ピンの嵌合孔
１１  フレーム部材
１２  板状の連結片の縁部を差し込む溝
１３  底部材
１４  カバー部材
１４ａ  掲示物押圧部
１５  バネ材
１６  コーナー部材のネジ部
１７  ビス
１９  ネジ
２０  受枠
２１  ビス
２２  ネジ
２３  受枠
２４  ビス
２５  翼状の押圧片
【図１】
0003831257.tif 000002
【図２】
0003831257.tif 000003
【図３】
0003831257.tif 000004
【図４】
0003831257.tif 000005
【図５】
0003831257.tif 000006
【図６】
0003831257.tif 000007
【図７】
0003831257.tif 000008